(57)【要約】      （修正有）【課題】少ない鍵盤数でも多彩な楽音を出力することができる電子楽器を提供する。【解決手段】複数の機能部のうち鍵盤部以外の他の機能部との相対位置を検知する位置検知手段と、鍵盤部における各鍵と、前記鍵盤部と前記他の機能部との相対位置に応じて各鍵に割り当てられている楽音との対応関係を示すテーブルが予め記憶されている記憶手段と、楽音信号を生成し、出力する楽音生成手段と、前記鍵盤部から出力される操作信号及び前記位置検知手段の検知出力を取り込み、操作された鍵及び前記位置検知手段により検知された前記相対位置に対応する楽音を、前記テーブルを参照して求め、該求めた楽音に相当する楽音信号を出力するように前記楽音生成手段を制御する制御手段とを有する。【選択図】図１
2009063782.tif 000002
【特許請求の範囲】
【請求項１】
複数の鍵を有し、操作された鍵を示す操作信号を出力する鍵盤部を含む複数の機能部が結合部を介して相対的に位置変更可能に構成された電子楽器であって、
前記複数の機能部のうち前記鍵盤部以外の他の機能部との相対位置を検知する位置検知手段と、
前記鍵盤部における各鍵と、前記鍵盤部と前記他の機能部との相対位置に応じて各鍵に割り当てられている楽音との対応関係を示すテーブルが予め記憶されている記憶手段と、
楽音信号を生成し、出力する楽音生成手段と、
前記鍵盤部から出力される操作信号及び前記位置検知手段の検知出力を取り込み、操作された鍵及び前記位置検知手段により検知された前記相対位置に対応する楽音を、前記テーブルを参照して求め、該求めた楽音に相当する楽音信号を出力するように前記楽音生成手段を制御する制御手段と、
を有することを特徴とする電子楽器。
【請求項２】
複数の鍵を有し、操作された鍵を示す操作信号を出力する鍵盤部を含む複数の機能部が結合部を介して開閉可能に構成された電子楽器であって、
前記鍵盤部に対して前記複数の機能部のうち前記鍵盤部以外の他の機能部のなす角度を検知する角度検知手段と、
前記鍵盤部における各鍵と、前記鍵盤部と前記他の機能部とのなす角度に応じて各鍵に割り当てられている楽音との対応関係を示すテーブルが予め記憶されている記憶手段と、
楽音信号を生成し、出力する楽音生成手段と、
前記鍵盤部から出力される操作信号及び前記角度検知手段の検知出力を取り込み、操作された鍵及び前記角度検知手段により検知された前記角度に対応する楽音を、前記テーブルを参照して求め、該求めた楽音に相当する楽音信号を出力するように前記楽音生成手段を制御する制御手段と、
を有することを特徴とする電子楽器。
【請求項３】
複数の鍵を有し、操作された鍵を示す操作信号を出力する鍵盤部を含む複数の機能部が結合部を介してスライド可能に構成された電子楽器であって、
前記鍵盤部に対する前記複数の機能部のうち前記鍵盤部以外の他の機能部のスライド量を検知するスライド量検知手段と、
前記鍵盤部における各鍵と、前記鍵盤部に対する前記他の機能部のスライド量に応じて各鍵に割り当てられている楽音との対応関係を示すテーブルが予め記憶されている記憶手段と、
楽音信号を生成し、出力する楽音生成手段と、
前記鍵盤部から出力される操作信号及び前記スライド量検知手段の検知出力を取り込み、操作された鍵及び前記スライド量検知手段により検知された前記スライド量に対応する楽音を、前記テーブルを参照して求め、該求めた楽音に相当する楽音信号を出力するように前記楽音生成手段を制御する制御手段と、
を有することを特徴とする電子楽器。
【請求項４】
複数の鍵を有し、操作された鍵を示す操作信号を出力する鍵盤部を含む複数の機能部が結合部を介して相対的に回動可能に構成された電子楽器であって、
前記鍵盤部に対し前記複数の機能部のうち前記鍵盤部以外の他の機能部を回動させた際の前記鍵盤部と前記他の機能部とが重なった部分の面積を示す重なり量を検知する重なり量検知手段と、
前記鍵盤部における各鍵と、前記鍵盤部と前記他の機能部との前記重なり量に応じて各鍵に割り当てられている楽音との対応関係を示すテーブルが予め記憶されている記憶手段と、
楽音信号を生成し、出力する楽音生成手段と、
前記鍵盤部から出力される操作信号及び前記重なり量検知手段の検知出力を取り込み、操作された鍵及び前記重なり量検知手段により検知された前記重なり量に対応する楽音を、前記テーブルを参照して求め、該求めた楽音に相当する楽音信号を出力するように前記楽音生成手段を制御する制御手段と、
を有することを特徴とする電子楽器。
【請求項５】
複数の鍵を有し、操作された鍵を示す操作信号を出力する鍵盤部に対し、他の機能部が直交する二方向であるＸ,Ｙ方向にスライド可能に構成された電子楽器であって、
前記鍵盤部に対する前記他の機能部のＸ方向の移動量を検知する第１の移動量検知手段と、
前記鍵盤部に対する前記他の機能部のＹ方向の移動量を検知する第２の移動量検知手段と、
前記鍵盤部における各鍵と、前記鍵盤部に対する前記他の機能部のＸ、Ｙ方向に、楽音についての異なるパラメータを割り当て、前記他の機能部のＸ、Ｙ方向の各移動量に応じて、それぞれ、各鍵に割り当てられている楽音のパラメータの内容との対応関係を示すテーブルが予め記憶されている記憶手段と、
楽音信号を生成し、出力する楽音生成手段と、
前記鍵盤部から出力される操作信号及び前記第１、第２の移動量検知手段の検知出力を取り込み、操作された鍵及び前記第１、第２の移動量検知手段により検知されたＸ,Ｙ方向の移動量に対応する楽音のパラメータの内容を、前記テーブルを参照して求め、該求めた前記楽音のパラメータの内容により規定される楽音に相当する楽音信号を出力するように前記楽音生成手段を制御する制御手段と、
を有することを特徴とする電子楽器。
【発明の詳細な説明】
【技術分野】
【０００１】
本発明は、電子楽器に係り、特にアコーディオンのように携帯した状態で使用する電子楽器に関する。
【背景技術】
【０００２】
従来のこの種の電子楽器として、ショルダーキーボード等の携帯用電子楽器が知られている。（例えば、特許文献１参照）。このショルダーキーボードは、キーボードコントローラを小型軽量化し、ギターのようにショルダーストラップを付けて肩から吊り下げて演奏できるようにしたものであり、鍵盤部と、各種スイッチ等が配設された操作子部とが屈曲可能な形で結合することにより、その結合部の変位情報に応じて楽音情報を制御するように構成されている。
【特許文献１】特許第２６３８０２８号明細書
【発明の開示】
【発明が解決しようとする課題】
【０００３】
しかしながら、特許文献１に示す電子楽器にあっては、楽器本体の結合部の変位情報に基づく楽音制御は、あくまでもこの屈曲部（結合部）とは、別に設けた鍵盤等によって発せられた音の音色を変えるための補助手段であり、より広いオクターブ範囲に及ぶような楽音からなる複雑な曲を演奏しようとする場合は、鍵盤の数を増やすしか方法がなかった。このため、楽器本体が大型化し、携帯して演奏するには不向きであるという問題があった。
【０００４】
本発明は、このような事情に鑑みてなされたものであり、少ない鍵盤数でも多彩な楽音を出力することができる電子楽器を提供することを目的とする。
【課題を解決するための手段】
【０００５】
上記目的を達成するために本発明の電子楽器は、複数の鍵を有し、操作された鍵を示す操作信号を出力する鍵盤部を含む複数の機能部が結合部を介して相対的に位置変更可能に構成された電子楽器であって、前記複数の機能部のうち前記鍵盤部以外の他の機能部との相対位置を検知する位置検知手段と、前記鍵盤部における各鍵と、前記鍵盤部と前記他の機能部との相対位置に応じて各鍵に割り当てられている楽音との対応関係を示すテーブルが予め記憶されている記憶手段と、楽音信号を生成し、出力する楽音生成手段と、前記鍵盤部から出力される操作信号及び前記位置検知手段の検知出力を取り込み、操作された鍵及び前記位置検知手段により検知された前記相対位置に対応する楽音を、前記テーブルを参照して求め、該求めた楽音に相当する楽音信号を出力するように前記楽音生成手段を制御する制御手段とを有することを特徴とする。
【０００６】
上記構成の本発明の電子楽器では、位置検知手段により前記鍵盤部と、前記複数の機能部のうち前記鍵盤部以外の他の機能部との相対位置が検知される。
【０００７】
また、記憶手段には、前記鍵盤部における各鍵と、前記鍵盤部と前記他の機能部との相対位置に応じて各鍵に割り当てられている楽音との対応関係を示すテーブルが予め記憶されており、制御手段は、前記鍵盤部から出力される操作信号及び前記位置検知手段の検知出力を取り込み、操作された鍵及び前記位置検知手段により検知された前記相対位置に対応する楽音を、前記テーブルを参照して求め、該求めた楽音に相当する楽音信号を出力するように前記楽音生成手段を制御する。
【０００８】
これにより、鍵盤部と他の機能部との相対位置に応じて各鍵に楽音が割り当てられ、位置検知手段によりお検知された鍵盤部と他の機能部との相対位置に応じて楽音が出力されるので、少ない鍵数で多彩な楽音を出力することが可能となる。
【０００９】
また、本発明の電子楽器は、複数の鍵を有し、操作された鍵を示す操作信号を出力する鍵盤部を含む複数の機能部が結合部を介して開閉可能に構成された電子楽器であって、前記鍵盤部に対して前記複数の機能部のうち前記鍵盤部以外の他の機能部のなす角度を検知する角度検知手段と、前記鍵盤部における各鍵と、前記鍵盤部と前記他の機能部とのなす角度に応じて各鍵に割り当てられている楽音との対応関係を示すテーブルが予め記憶されている記憶手段と、楽音信号を生成し、出力する楽音生成手段と、前記鍵盤部から出力される操作信号及び前記角度検知手段の検知出力を取り込み、操作された鍵及び前記角度検知手段により検知された前記角度に対応する楽音を、前記テーブルを参照して求め、該求めた楽音に相当する楽音信号を出力するように前記楽音生成手段を制御する制御手段とを有することを特徴とする。
【００１０】
上記構成の本発明の電子楽器では、角度検知手段により前記鍵盤部に対して前記複数の機能部のうち前記鍵盤部以外の他の機能部のなす角度が検知される。
【００１１】
また、記憶手段には、前記鍵盤部における各鍵と、前記鍵盤部と前記他の機能部とのなす角度に応じて各鍵に割り当てられている楽音との対応関係を示すテーブルが予め記憶されており、制御手段は、前記鍵盤部から出力される操作信号及び前記角度検知手段の検知出力を取り込み、操作された鍵及び前記角度検知手段により検知された前記角度に対応する楽音を、前記テーブルを参照して求め、該求めた楽音に相当する楽音信号を出力するように前記楽音生成手段を制御する。
【００１２】
これにより、鍵盤部に対して他の機能部のなす角度に応じて各鍵に楽音が割り当てられ、角度検知手段によりお検知された鍵盤部と他の機能部とのなす角度に応じて楽音が出力されるので、少ない鍵数で多彩な楽音を出力することが可能となる。
【００１３】
また、本発明の電子楽器は、複数の鍵を有し、操作された鍵を示す操作信号を出力する鍵盤部を含む複数の機能部が結合部を介してスライド可能に構成された電子楽器であって、前記鍵盤部に対する前記複数の機能部のうち前記鍵盤部以外の他の機能部のスライド量を検知するスライド量検知手段と、前記鍵盤部における各鍵と、前記鍵盤部に対する前記他の機能部のスライド量に応じて各鍵に割り当てられている楽音との対応関係を示すテーブルが予め記憶されている記憶手段と、楽音信号を生成し、出力する楽音生成手段と、前記鍵盤部から出力される操作信号及び前記スライド量検知手段の検知出力を取り込み、操作された鍵及び前記スライド量検知手段により検知された前記スライド量に対応する楽音を、前記テーブルを参照して求め、該求めた楽音に相当する楽音信号を出力するように前記楽音生成手段を制御する制御手段とを有することを特徴とする。
【００１４】
上記構成の本発明の電子楽器では、スライド量検知手段により前記鍵盤部に対する前記複数の機能部のうち前記鍵盤部以外の他の機能部のスライド量が検知される。
【００１５】
また、記憶手段には、前記鍵盤部における各鍵と、前記鍵盤部に対する前記他の機能部のスライド量に応じて各鍵に割り当てられている楽音との対応関係を示すテーブルが予め記憶されており、制御手段は、前記鍵盤部から出力される操作信号及び前記スライド量検知手段の検知出力を取り込み、操作された鍵及び前記スライド量検知手段により検知された前記スライド量に対応する楽音を、前記テーブルを参照して求め、該求めた楽音に相当する楽音信号を出力するように前記楽音生成手段を制御する。
【００１６】
これにより、鍵盤部に対する他の機能部のスライド量に応じて各鍵に楽音が割り当てられ、スライド量検知手段により検知された鍵盤部に対する他の機能部のスライド量に応じて楽音が出力されるので、少ない鍵数で多彩な楽音を出力することが可能となる。
【００１７】
また、本発明の電子楽器は、複数の鍵を有し、操作された鍵を示す操作信号を出力する鍵盤部を含む複数の機能部が結合部を介して相対的に回動可能に構成された電子楽器であって、前記鍵盤部に対し前記複数の機能部のうち前記鍵盤部以外の他の機能部を回動させた際の前記鍵盤部と前記他の機能部とが重なった部分の面積を示す重なり量を検知する重なり量検知手段と、前記鍵盤部における各鍵と、前記鍵盤部と前記他の機能部との前記重なり量に応じて各鍵に割り当てられている楽音との対応関係を示すテーブルが予め記憶されている記憶手段と、楽音信号を生成し、出力する楽音生成手段と、前記鍵盤部から出力される操作信号及び前記重なり量検知手段の検知出力を取り込み、操作された鍵及び前記重なり量検知手段により検知された前記重なり量に対応する楽音を、前記テーブルを参照して求め、該求めた楽音に相当する楽音信号を出力するように前記楽音生成手段を制御する制御手段とを有することを特徴とする。
【００１８】
上記構成の本発明の電子楽器では、重なり量検知手段により前記鍵盤部に対し前記複数の機能部のうち前記鍵盤部以外の他の機能部を回動させた際の前記鍵盤部と前記他の機能部とが重なった部分の面積を示す重なり量が検知される。
【００１９】
また、記憶手段には、前記鍵盤部における各鍵と、前記鍵盤部と前記他の機能部との前記重なり量に応じて各鍵に割り当てられている楽音との対応関係を示すテーブルが予め記憶されており、制御手段は、前記鍵盤部から出力される操作信号及び前記重なり量検知手段の検知出力を取り込み、操作された鍵及び前記重なり量検知手段により検知された前記重なり量に対応する楽音を、前記テーブルを参照して求め、該求めた楽音に相当する楽音信号を出力するように前記楽音生成手段を制御する。
【００２０】
これにより、鍵盤部に対する他の機能部の重なり量に応じて各鍵に楽音が割り当てられ、スライド量検知手段により検知された鍵盤部に対する他の機能部の重なり量に応じて楽音が出力されるので、少ない鍵数で多彩な楽音を出力することが可能となる。
【００２１】
また、本発明の電子楽器は、複数の鍵を有し、操作された鍵を示す操作信号を出力する鍵盤部に対し、他の機能部が直交する二方向であるＸ,Ｙ方向にスライド可能に構成された電子楽器であって、前記鍵盤部に対する前記他の機能部のＸ方向の移動量を検知する第１の移動量検知手段と、前記鍵盤部に対する前記他の機能部のＹ方向の移動量を検知する第２の移動量検知手段と、前記鍵盤部における各鍵と、前記鍵盤部に対する前記他の機能部のＸ、Ｙ方向に、楽音についての異なるパラメータを割り当て、前記他の機能部のＸ、Ｙ方向の各移動量に応じて、それぞれ、各鍵に割り当てられている楽音のパラメータの内容との対応関係を示すテーブルが予め記憶されている記憶手段と、楽音信号を生成し、出力する楽音生成手段と、前記鍵盤部から出力される操作信号及び前記第１、第２の移動量検知手段の検知出力を取り込み、操作された鍵及び前記第１、第２の移動量検知手段により検知されたＸ,Ｙ方向の移動量に対応する楽音のパラメータの内容を、前記テーブルを参照して求め、該求めた前記楽音のパラメータの内容により規定される楽音に相当する楽音信号を出力するように前記楽音生成手段を制御する制御手段とを有することを特徴とする。
【００２２】
上記構成の本発明の電子楽器では、第１の移動量検知手段により前記鍵盤部に対する前記他の機能部のＸ方向の移動量が検知され、第２の移動量検知手段により前記鍵盤部に対する前記他の機能部のＹ方向の移動量が検知される。
【００２３】
また、記憶手段には、前記鍵盤部における各鍵と、前記鍵盤部に対する前記他の機能部のＸ、Ｙ方向に、楽音についての異なるパラメータを割り当て、前記他の機能部のＸ、Ｙ方向の各移動量に応じて、それぞれ、各鍵に割り当てられている楽音のパラメータの内容との対応関係を示すテーブルが予め記憶されており、制御手段は、前記鍵盤部から出力される操作信号及び前記第１、第２の移動量検知手段の検知出力を取り込み、操作された鍵及び前記第１、第２の移動量検知手段により検知されたＸ,Ｙ方向の移動量に対応する楽音のパラメータの内容を、前記テーブルを参照して求め、該求めた前記楽音のパラメータの内容により規定される楽音に相当する楽音信号を出力するように楽音生成手段を制御する。
【００２４】
これにより、鍵盤部における各鍵と、前記鍵盤部に対する前記他の機能部のＸ、Ｙ方向に、楽音についての異なるパラメータが割り当てられ、第１、第２の移動量検知手段により検知されたＸ,Ｙ方向の移動量に対応する楽音のパラメータにより規定される楽音が出力されるので、少ない鍵数で多彩な楽音を出力することが可能となる。
【発明の効果】
【００２５】
以上説明したように、本発明の電子楽器によれば、鍵盤部と他の機能部との相対位置に応じて各鍵に楽音が割り当てられ、位置検知手段によりお検知された鍵盤部と他の機能部との相対位置に応じて楽音が出力されるので、少ない鍵数で多彩な楽音を出力することが可能となる。
という効果が得られる。
【発明を実施するための最良の形態】
【００２６】
以下、本発明の実施形態を、図面を参照して詳細に説明する。
【００２７】
本発明に係る電子楽器は、複数の鍵を有し、操作された鍵を示す操作信号を出力する鍵盤部を含む複数の機能部が結合部を介して相対的に位置変更可能に構成されている。
【００２８】
本発明の各実施形態に係る電子楽器に共通する電気的構成を図１に示す。同図に示すように、本発明に係る電子楽器１は、鍵盤部１０と、複数の機能部のうち鍵盤部１０以外の他の機能部との相対位置を検知する位置検知手段１１と、鍵盤部１０における各鍵１００と、鍵盤部１０と前記他の機能部との相対位置に応じて各鍵１００に割り当てられている楽音との対応関係を示すテーブルが予め記憶されている記憶部１２と、楽音を生成し、出力する楽音生成部１３と、鍵盤部１０から出力される操作信号及び位置検知手段１１の検知出力を取り込み、操作された鍵１００及び位置検知手段１１により検知された前記相対位置に対応する楽音を、前記テーブルを参照して求め、該求めた楽音に相当する楽音信号を出力するように楽音生成部１３を制御する制御回路１４と、楽音生成部１３から出力される楽音信号を増幅する増幅器１５と、増幅器１５から出力される楽音信号を受けて発音するスピーカ１６とを有している。
【００２９】
ここで、位置検知手段１１により検知される「相対位置」とは、鍵盤部と他の機能部とが、結合部を介して鍵盤部と他の機能部のどちらか一方に対して、どれだけ離間しているかを示すパラメータである。具体的には、上記相対位置は、鍵盤部と他の機能部とが開閉可能に構成されている場合には鍵盤部と他の機能部とのなす角度であり、また、鍵盤部と他の機能部とがいずれか一方に対してスライド可能に構成されている場合には、鍵盤部または他の機能部のうちいずれか一方を基準にした他方のスライド量である。
【００３０】
また、上記相対位置は、鍵盤部と他の機能部とが結合部を介して相対的に回動可能に構成されている場合には、鍵盤部と他の機能部のうちのいずれか一方を基準にしていずれか一方を回動させた際における鍵盤部と他の機能部とが重なった面積を示す重なり量であり、さらに、鍵盤部と他の機能部とがいずれか一方を基準にして他方が直交する二方向であるＸ、Ｙ方向にスライド可能に構成されている場合には、そのＸ、Ｙ方向の移動量である。
【００３１】
なお、記憶部１２は本発明の記憶手段に、楽音生成部１３は本発明の楽音生成手段に、制御回路１４は本発明の制御手段に、それぞれ相当する。
【００３２】
上記構成において、位置検知手段１１により鍵盤部１０と、複数の機能部のうち鍵盤部１０以外の他の機能部との相対位置が検知される。
【００３３】
また、記憶手段１２には、鍵盤部１０における各鍵１００と、鍵盤部１０と前記他の機能部との相対位置に応じて各鍵１００に割り当てられている楽音との対応関係を示すテーブルが予め記憶されている。
【００３４】
制御回路１４は、鍵盤部１０から出力される操作信号及び位置検知手段１１の検知出力を取り込み、操作された鍵１００及び位置検知手段１１により検知された前記相対位置に対応する楽音を、前記テーブルを参照して求め、該求めた楽音に相当する楽音信号を出力するように楽音生成部１３を制御する。
【００３５】
これにより、鍵盤部１０と他の機能部との相対位置に応じて各鍵盤に楽音が割り当てられ、位置検知手段１１によりお検知された鍵盤部１０と他の機能部との相対位置に応じて楽音が出力されるので、少ない鍵盤数で多彩な楽音を出力することが可能となる。
【００３６】
以下、本発明の各実施形態に係る電子楽器について説明する。
【００３７】
[第１実施形態]
本発明の第１実施形態に係る電子楽器について図２〜図６を参照して説明する。図２には、本発明の第１実施形態に係る電子楽器の外観構成が示されている。本実施形態に係る電子楽器１Ａは、複数の鍵１００を有し、操作された鍵を示す操作信号を出力する鍵盤部１０と、図示してない、各種操作子が設けられた操作子部２０が結合部３０を介して開閉可能に構成されている。
【００３８】
また、操作子部２０には、鍵盤部１０の鍵１００を操作して指定した楽音の音高、音色等の各パラメータを調整する操作子が設けられていると共に、楽音を発音するスピーカ１６が設けられている。
【００３９】
鍵盤部１０と操作子部２０とを開閉可能に結合する結合部３０は、図３に示すように、構成されている。
【００４０】
すなわち、鍵盤部１０の操作子２０側と結合される端部には、ヒンジカラー３００、３０１が設けられている。また、操作子部２０の鍵盤部１０側と結合される端部は、基部３０２、３０３を有しており、基部３０２、３０３には、それぞれ長さの異なるヒンジシャフト３０４、３０５が突設されている。ヒンジシャフト３０４、ヒンジシャフト３０５は、それぞれ基部３０２、３０３に固設されている。
【００４１】
鍵盤部１０と操作子部２０とを結合する際には、操作子部２０に設けられた長い方のヒンジシャフト３０４に、鍵盤部１０に設けられたヒンジカラー３００を挿通させ、次いで操作子部２０に設けられた短い方のヒンジシャフト３０５に、鍵盤部１０に設けられたヒンジカラー３０１を挿通させ、ヒンジカラー３００が挿通されているヒンジシャフト３０４に、さらにヒンジストッパ３０６を挿通させる。
【００４２】
このように、結合部３０は、鍵盤部１０に設けられたヒンジカラー３００、３０１、操作子部２０に設けられた基部３０２、３０３、ヒンジシャフト３０４、３０５、及ヒンジストッパ３０６からなり、ヒンジ部を構成している。
【００４３】
さらに、操作子部２０または鍵盤部１０には、鍵盤部１０の鍵１００、または操作子部２０の操作子を操作することにより、指定された楽音を生成し、出力するために必要な電子回路が内蔵されている。
【００４４】
本発明の第１実施形態に係る電子楽器１Ａの電気的構成を図５に示す。同図において、第１実施形態に係る電子楽器１Ａは、複数の鍵１００を有する鍵盤部１０と、鍵盤部１０に対して操作子部２０のなす角度を検知する角度検知手段１１Ａと、鍵盤部１０における各鍵１００と、鍵盤部１０と操作子部２０とのなす角度に応じて各鍵に割り当てられている楽音との対応関係を示すテーブルが予め記憶されている記憶部１２Ａと、楽音信号を生成し、出力する楽音生成部１３と、鍵盤部１０から出力される操作信号及び角度検知手段１１Ａの検知出力を取り込み、操作された鍵及び角度検知手段１１Ａにより検知された、鍵盤部１０と操作子部２０とのなす角度に対応する楽音を、前記テーブルを参照して求め、該求めた楽音に相当する楽音信号を出力するように楽音生成部１３を制御する制御回路１４Ａと、増幅器１５と、スピーカ１６とを有している。
【００４５】
図４は、電子楽器１Ａの縦断面を示している。角度検出手段１１Ａは、鍵盤部１０と操作子部２０とを開閉可能に結合するヒンジ部として機能する結合部３０のヒンジシャフト３０５の外周面には、磁石１１０が埋設されており、この磁石１１０が埋設された面に対向するヒンジカラー３０１の内周面には所定の角度間隔で、例えば、鍵盤部１０に対し、操作子部２０を閉じた状態を基準（０°）として鍵盤部１０と操作子部２０とのなす角度が４５°の角度毎に複数の磁気センサ１２０が埋設されている。磁石１１０と磁気センサ１２０とで、角度検知手段１１Ａが構成されている。
【００４６】
鍵盤部１０と操作子部２０とのなす角度と各磁気センサの検知出力との対応関係を制御回路１４Ａ側で認識できるようにしておく。これは、制御回路１４Ａ内のメモリに各角度位置に埋設された各磁気センサ１２０の出力が入力される入力端子との対応関係を記憶させておき、上記制御回路１４Ａの上記各磁気センサ１２０の検知出力が入力される入力端子に入力された検知出力のうち最大の検知出力が入力された入力端子に対応する角度を鍵盤部１０と操作子部２０とのなす角度として把握するようにすればよい。
鍵盤部１０に対して操作子部２０を開閉した際に、磁石１１０と対向する位置にある磁気センサ１２０により最も大きい検知出力が得られることにより、制御回路１４Ａ側では、鍵盤部１０と操作子部２０とのなす角度を認識することができる。
【００４７】
この磁気センサとして、例えば、本実施形態ではホール素子が使用される。なお、磁気センサは磁気を検知できるものであればよく、ホール素子に限定されない。また、角度検知手段１１Ａは、磁石１１０と磁気センサ１２０との組み合わせによる構成に限らず、鍵盤部１０と操作子部２０とのなす角度を検知できる構成であれば良く、上記構成に限定されない。例えば、発光素子と、受光素子との組み合わせにより角度検知手段を構成してもよい。
【００４８】
また、記憶部１２Ａには、既述したように鍵盤部１０と操作子部２０とのなす角度に応じて鍵盤部１０の各鍵１００に割り当てられている楽音との対応関係を示すテーブルが記憶されているが、そのテーブルの一例を図６に示す。同図に示すように、鍵盤部１０と操作子部２０とのなす角度をθとすると、θ＝０°〜４５°、４５°〜９０°、９０°〜１３５°、１３５°〜１８０°の各角度範囲に対して各鍵１００（鍵１、鍵２、鍵３、…）に楽音が割り当てられている。
【００４９】
なお、記憶部１２Ａは本発明の記憶手段に、楽音生成部１３は本発明の楽音生成手段に、制御回路１４Ａは本発明の制御手段に、それぞれ相当する。
【００５０】
上記構成において、ユーザが、電子楽器１Ａの鍵盤部１０と操作子部２０とのなす角度θを、例えば、θ＝６０°まで開き、記憶部１２Ａに記憶されているテーブルにおける鍵２に相当する鍵１００を操作すると、制御回路１４Ａは、オクターブ４のＥ♭の楽音が記憶部１２Ａのテーブルより読出し、「オクターブ４のＥ♭」の楽音に相当する楽音信号を出力するように楽音生成部１３を制御する。楽音生成部では、制御回路１４Ａの制御下に「オクターブ４のＥ♭」の楽音に相当する楽音信号を、増幅器１５を介してスピーカ１６に出力する。
【００５１】
スピーカ１６では、増幅器１５の出力を受けて「オクターブ４のＥ♭」の楽音を発音する。
【００５２】
また、ユーザが楽器１Ａの鍵盤部１０と操作子部２０とのなす角度θを、例えば、θ＝１５０°まで開き、記憶部１２Ａに記憶されているテーブルにおける鍵２に相当する鍵１００を操作すると、制御回路１４Ａは、オクターブ４のＥ♭の楽音が記憶部１２Ａのテーブルより読出し、「オクターブ５のＥ♭」の楽音に相当する楽音信号を出力するように楽音生成部１３を制御する。この結果、スピーカ１６では、増幅器１５の出力を受けて「オクターブ５のＥ♭」の楽音を発音する。このように、同じ鍵を操作しても割り当てられた異なる楽音が発音されることとなる。
【００５３】
勿論、上記テーブルに同じ音を異なる角度θに割り当てることにより鍵盤部１０をと操作子部２０とのなす角度が異なっていても同じ楽音を発音させるようすることもできる。
【００５４】
また、上記テーブルにおいて、楽音が切り替わる角度θ（例えば、４５°等）では、図６に示すように必ずその角度の前後、どちらかの音に割り当てても良いし、音の切り替わりがスムーズになるように、例えば、角度θが４０°から５０°の間で徐々に楽音を変化させるよう角度θに対して楽音を割り当てるようにしてもよい。
【００５５】
更に、４０°から５０°までの角度θでは楽音を変更する前後の楽音が発音されるように上記テーブルを構成するようにしてもよい。
【００５６】
本発明の第１実施形態に係る電子楽器によれば、鍵盤部に対して他の機能部である操作子部のなす角度に応じて各鍵に楽音が割り当てられ、角度検知手段により検知された鍵盤部と操作子部とのなす角度に応じて楽音が出力されるので、少ない鍵数で多彩な楽音を出力することが可能となる。
【００５７】
[第２実施形態]
本発明の第２実施形態に係る電子楽器について図７〜図１０を参照して説明する。図７には、本発明の第２実施形態に係る電子楽器の外観構成が示されている。本実施形態に係る電子楽器１Ｂは、複数の鍵１００を有し、操作された鍵を示す操作信号を出力する鍵盤部１０と、図示してない、各種操作子が設けられた操作子部２０が結合部４０を介してＸ方向にスライド可能に構成されている。すなわち、鍵盤部１０、操作子部２０の長手方向の一端部が重なり合って上記長手方向に直交する方向Ｘにスライド可能に構成されている。
【００５８】
また、操作子部２０には、鍵盤部１０の鍵１００を操作して指定した楽音の音高、音色等の各パラメータを調整する操作子が設けられており、鍵盤部１０には楽音を発音するスピーカ１６が設けられている。
【００５９】
また、結合部４０近傍には、鍵盤部１０に対する他の機能部としての操作子部２０のスライド量を検知するスライド量検知手段１１Ｂが設けられている。
【００６０】
さらに、操作子部２０または鍵盤部１０には、鍵盤部１０の鍵１００、または操作子部２０の操作子を操作することにより、指定された楽音を生成し、出力するために必要な電子回路が内蔵されている。
【００６１】
本発明の第２実施形態に係る電子楽器１Ｂの電気的構成を図９に示す。同図において、第２実施形態に係る電子楽器１Ｂは、複数の鍵１００を有する鍵盤部１０と、鍵盤部１０に対する操作子部２０のスライド量を検知するスライド量検知手段１１Ｂと、鍵盤部１０に対する操作子部２０のスライド量に応じて各鍵に割り当てられている楽音との対応関係を示すテーブルが予め記憶されている記憶部１２Ｂと、楽音信号を生成し、出力する楽音生成部１３と、鍵盤部１０から出力される操作信号及びスライド量検知手段１１Ｂの検知出力を取り込み、操作された鍵及びスライド量検知手段１１Ｂにより検知された前記スライド量に対応する楽音を、前記テーブルを参照して求め、該求めた楽音に相当する楽音信号を出力するように楽音生成部１３を制御する制御回路１４Ｂと、増幅器１５と、スピーカ１６とを有している。
【００６２】
スライド量検知手段１１Ｂは、電子楽器１Ｂの部分拡大図である図８に示すように、結合部４０における鍵盤部１０側の上記スライド方向Ｘに直交する方向の端部に沿って所定間隔で配設された複数の磁石１３０と、操作子部２０の前記Ｘ方向にその端部から所定間隔で配設された複数の磁気センサ１４０とを有している。結合部４０における鍵盤部１０側のスライド方向Ｘに直交する方向の端部に沿って複数の磁石１３０が所定間隔で配設された位置を第１の基準位置とする。
【００６３】
磁気センサ１４０は、操作子部２０における結合部４０側の端部から離れる程、前記磁石の配列される方向と同方向に配列される数が多くなるように、配列されている。
【００６４】
具体的には、例えば、操作子部２０における結合部４０側の端部近傍の第２の基準位置（この第２の基準位置に磁気センサ１４０が０個、配設されている。）から１０ｍｍ間隔で１個、２個、３個、…と、スライド可能な範囲内で磁気センサ１４０が１つずつ増加するように配列されている。そして、前記複数の磁石１３０の配列間隔と、Ｘ方向と直交する方向の磁気センサ１４０の配列間隔は、ほぼ同一になるように設定されている。
【００６５】
また、前記複数の磁石１３０の配設数は、磁気センサ１４０の前記Ｘ方向に配列された素子数の最大値と同じかそれより大きくなるように設定されている。
【００６６】
したがって、鍵盤部２０における複数の磁石１３０が所定間隔で配設された前記第１の基準位置と、操作子部２０の第２の基準位置とが一致しているとき、すなわち、スライド量が０のときには、複数の磁気センサのうち、いずれの磁気センサ１４０にも磁石が近接することはないので、磁気検知出力は得られない。
【００６７】
ここで、上記第１、第２の基準位置が一致した位置より操作子部２０をＸ方向でかつ鍵盤部１０側にスライドさせると、スライド量Ｌに応じて複数の磁石１３０に対して近接する磁気センサ１４０が１個（Ｌ＝０〜１０ｍｍ）、２個（Ｌ＝１０〜２０ｍｍ）、３個（Ｌ＝２０〜３０ｍｍ）、４個（Ｌ＝３０〜４０ｍｍ）…と増加するので、制御回路１４Ｂが複数の磁気センサ１４０の出力状態（検知出力の有無、もしくは出力レベル）をモニタすることにより、制御回路１４Ｂ側で鍵盤部１０に対する操作子部２０のスライド量Ｌを認識することができる。
【００６８】
この磁気センサ１４０として、例えば、本実施形態ではホール素子が使用される。なお、磁気センサは磁気を検知できるものであればよく、ホール素子に限定されない。
【００６９】
また、スライド量検知手段１１Ｂは、磁石１３０と磁気センサ１４０との組み合わせによる構成に限らず、鍵盤部１０に対する操作子部２０のスライド量を検知できる構成であれば良く、上記構成に限定されない。例えば、発光素子と、受光素子との組み合わせによりスライド量検知手段１１Ｂを構成してもよい。
【００７０】
また、記憶部１２Ｂには、鍵盤部１０における各鍵１００と、鍵盤部１０に対する前記操作子部２０のスライド量Ｌに応じて各鍵１００に割り当てられている楽音との対応関係を示すテーブルが記憶されており、そのテーブルの一例を図１０に示す。同図において、Ｌ＝０〜１０ｍｍ，Ｌ＝１０〜２０ｍｍ，Ｌ＝２０〜３０ｍｍ，Ｌ＝３０〜４０ｍｍの各スライド量に対して各鍵１００（鍵１、鍵２、鍵３、…）に楽音が割り当てられている。
【００７１】
鍵盤部１０に対する前記操作子部２０のスライド量Ｌに応じて各鍵１００に割り当てられている楽音は、単音のみならず、和音でもよく、図１０に示したテーブルの例では、スライド量Ｌの大きさによって、各鍵１００に割り当てられた楽音の数を変化させるようにしてある。
【００７２】
上記構成において、ユーザが、電子楽器１Ｂの鍵盤部１０に対して操作子部２０を可動範囲内で、Ｘ方向（図８参照）にスライドさせ、スライド量Ｌを、例えば、Ｌ＝０〜１０ｍｍまで開き、記憶部１２Ｂに記憶されているテーブルにおける鍵１に相当する鍵１００を操作すると、スライド量検知部１１Ｂにより鍵盤部１０に対する前記操作子部２０のスライド量Ｌが検知される。
【００７３】
制御回路１４Ｂは、スライド量検知部１１Ｂの検知出力及び鍵盤部１０から出力される操作信号を取り込み、操作された鍵１００及びスライド量を特定する。
【００７４】
制御回路１４Ｂは、操作された鍵１００及び操作子部２０のスライド量Ｌから、記憶部１２Ｂに記憶されているテーブルを参照し、「Ｃ，Ｅ」の２つの楽音を上記テーブルより読出し、「Ｃ，Ｅ」の楽音に相当する楽音信号を出力するように楽音生成部１３を制御する。
【００７５】
楽音生成部１３では、制御回路１４Ｂの制御下に「Ｃ，Ｅ」の楽音に相当する楽音信号を、増幅器１５を介してスピーカ１６に出力する。
【００７６】
スピーカ１６では、増幅器１５の出力を受けて「Ｃ，Ｅ」の楽音を発音する。
【００７７】
また、ユーザが、電子楽器１Ｂの鍵盤部１０に対して操作子部２０を可動範囲内で、Ｘ方向にスライドさせ、スライド量Ｌを、例えば、Ｌ＝２０〜３０ｍｍまで開き、記憶部１２Ｂに記憶されているテーブルにおける鍵１に相当する鍵１００を操作すると、制御回路１４Ｂは、スライド量検知部１１Ｂの検知出力及び鍵盤部１０から出力される操作信号を取り込み、操作された鍵１００及びスライド量を特定する。
【００７８】
制御回路１４Ｂは、操作された鍵１００及び操作子部２０のスライド量Ｌから、記憶部１２Ｂに記憶されているテーブルを参照し、「Ｃ，Ｅ，Ｇ」の３つの楽音を上記テーブルより読出し、「Ｃ，Ｅ，Ｇ」の楽音に相当する楽音信号を出力するように楽音生成部１３を制御する。
【００７９】
楽音生成部１３では、制御回路１４Ｂの制御下に「Ｃ，Ｅ、Ｇ」の楽音に相当する楽音信号を、増幅器１５を介してスピーカ１６に出力する。
【００８０】
スピーカ１６では、増幅器１５の出力を受けて「Ｃ，Ｅ、Ｇ」の楽音を発音する。
【００８１】
このように、同じ鍵を操作しても割り当てられた異なる楽音が発音されることとなる。
【００８２】
勿論、上記テーブルに同じ音を異なる角度θに割り当てることにより鍵盤部１０をと操作子部２０とのなす角度が異なっていても同じ楽音を発音させるようにすることもできる。
【００８３】
また、上記テーブルにおいて、楽音が切り替わるスライド量（例えば、Ｌ＝１０ｍｍ等）では、図１０に示すように必ずそのスライド量Ｌの前後、どちらかの音に割り当てても良い。
【００８４】
本発明の第２実施形態に係る電子楽器によれば、鍵盤部に対する他の機能部である操作子部のスライド量に応じて各鍵に楽音が割り当てられ、スライド量検知手段により検知された鍵盤部に対する操作子部のスライド量に応じて楽音が出力されるので、少ない鍵数で多彩な楽音を出力することが可能となる。
【００８５】
[第３実施形態]
本発明の第３実施形態に係る電子楽器について図１１〜図１４を参照して説明する。図１１には、本発明の第３実施形態に係る電子楽器の外観構成が示されている。
【００８６】
本実施形態に係る電子楽器１Ｃは、複数の鍵１００を有し、操作された鍵を示す操作信号を出力する鍵盤部１０と、図示してない、各種操作子が設けられた操作子部２０が結合部としての軸５０を介して相対的に回動可能に構成されている。
【００８７】
また、操作子部２０には、鍵盤部１０の鍵１００を操作して指定した楽音の音高、音色等の各パラメータを調整する操作子（図示せず）が設けられており、鍵盤部１０には楽音を発音するスピーカ１６が設けられている。
【００８８】
また、鍵盤部１０と操作子部２０とを結合する軸（結合部）５０近傍には、鍵盤部１０に対し操作子部２０を軸５０を中心に回動させた際の鍵盤部１０と操作子部２０とが重なった部分の面積を示す重なり量を検知する重なり量検知手段１１Ｃが設けられている。
【００８９】
さらに、操作子部２０または鍵盤部１０には、鍵盤部１０の鍵１００、または操作子部２０の操作子を操作することにより、指定された楽音を生成し、出力するために必要な電子回路が内蔵されている。
【００９０】
本発明の第３実施形態に係る電子楽器１Ｃの電気的構成を図１３に示す。同図において、第３実施形態に係る電子楽器１Ｃは、複数の鍵１００を有する鍵盤部１０と、鍵盤部１０に対し操作子部２０を結合部である軸５０を中心に回動させた際の鍵盤部１０と操作子部２０とが重なった部分の面積を示す重なり量を検知する重なり量検知手段１１Ｃと、鍵盤部１０における各鍵１００と、鍵盤部１０と操作子部２０との前記重なり量に応じて各鍵１００に割り当てられている楽音との対応関係を示すテーブルが予め記憶されている記憶部１２Ｃと、楽音信号を生成し、出力する楽音生成部１３と、鍵盤部１０から出力される操作信号及び重なり量検知手段１１Ｃの検知出力を取り込み、操作された鍵及び重なり量検知手段１１Ｃにより検知された重なり量に対応する楽音を、前記テーブルを参照して求め、該求めた楽音に相当する楽音信号を出力するように楽音生成部１３を制御する制御回路１４Ｃと、増幅器１５と、スピーカ１６とを有している。
【００９１】
重なり量検知手段１１Ｃは、本実施形態では、図１２（Ａ）に示すように、鍵盤部１０における軸５０の近傍に設けられた磁気センサ３５０と、操作子部２０における軸５０近傍に設けられた磁石３５１とで構成されている。磁気センサ３５０と磁石３５１の配列は、図１２（Ｂ）に示すようになる。すなわち、鍵盤部１０における軸５０が設けられた隅部において、磁気センサ３５０が、鍵盤部１０の短手方向の他の隅部に向かって所定の間隔で、かつ個数が上記短手方向と直交する方向に順次、増加するように配列されている。
【００９２】
他方、操作子部２０における軸５０が設けられた隅部には、操作子部２０の長手方向の側面に沿って一列に所定間隔で複数の磁石３５１が配設されている。
【００９３】
したがって、鍵盤部１０に対して軸５０を中心に操作子部２０を回動させると、鍵盤部１０に対して操作子部２０の重なり量が増加するにつれて、磁石３５１の磁界を検知する磁気センサ３５０の数が比例して増加するので、制御回路１４Ｃでは、磁石３５１による磁界を検知した磁気センサの数を把握することにより、た鍵盤部１０に対する操作子部２０の重なり量を把握することができる。
【００９４】
また、記憶部１２Ｃには、鍵盤部１０における各鍵１００と、鍵盤部１０に対する前記操作子部２０の重なり量に応じて各鍵１００に割り当てられている楽音との対応関係を示すテーブルが記憶されており、そのテーブルの一例を図１４に示す。本実施形態では、既述したように、鍵盤部１０に対する前記操作子部２０の重なり量は、操作子部１０に配設された磁石３５１による磁界を検知した磁気センサ３５０の個数で把握するようにしているので、図１４のテーブルも磁石を検知した磁気センサ数と鍵盤部１０の鍵との関係で楽音を割り当てるようにしている。
【００９５】
図１４において、磁石３５１による磁界を検知した磁気センサ３５０の個数をＳとすると、Ｓ＝１，Ｓ＝２，Ｓ＝３，Ｓ＝４の各重なり量Ｓに対して各鍵１００（鍵１、鍵２、鍵３、…）に楽音が割り当てられている。因みに、Ｓ＝１のときは、スライド量は０であるが一定の重なり量が有る。図１４に示すように、上記重なり量Ｓにより変化させる楽音のパラメータは、「音名」のみでなく、「調」を含めてもよい。
【００９６】
検知した磁気センサが１個のとき（重なり量Ｓが１）のときは、Ｃ調であり、鍵１〜３には、それぞれＣ、Ｃ＃、Ｄが割り当てられているが、検知した磁石の個数、すなわち磁気センサの数が２個になると、移調してＦ調となり、Ｆ、Ｆ＃、Ｇと変化する。
【００９７】
なお、鍵盤部１０に対する前記操作子部２０の重なり量の他の判定手段として、鍵盤部の、操作子部と重なる位置に照度を検出するようなフォトセンサを配置する方法もある。操作子の開閉量によって変化する照度を重なり量として、各鍵盤に対する音の割り当てを変更する。光源は操作子部に設けてもよいし、本体以外の光（部屋の明かり等）を使用しても良い。
【００９８】
なお、記憶部１２Ｃは本発明の記憶手段に、楽音生成部１３は本発明の楽音生成手段に、制御回路１４Ｃは本発明の制御手段に、それぞれ相当する。
【００９９】
上記構成において、ユーザが電子楽器１Ｃの鍵盤部１０に対し操作子部２０を、軸５０を中心に重なり量Ｓが、例えば、Ｓ＝０〜１０ｍｍとなるまで操作子部２０を回動させ、記憶部１２Ｃに記憶されているテーブルにおける鍵１に相当する鍵１００を操作すると、重なり量検知部１１Ｃにより鍵盤部１０に対する前記操作子部２０の重なり量Ｓが検知される。
【０１００】
制御回路１４Ｃは、重なり量検知部１１Ｃの検知出力及び鍵盤部１０から出力される操作信号を取り込み、操作された鍵１００及び重なり量を特定する。重なり量Ｓを、例えば、１個の磁石３５１が１個の磁気センサ３５０により検知された状態である重なり量Ｓ＝１まで開き、記憶部１２Ｃに記憶されているテーブルにおける鍵１に相当する鍵１００を操作すると、重なり量検知部１１Ｃにより鍵盤部１０に対する前記操作子部２０の重なり量Ｓ（＝１）が検知される。
【０１０１】
制御回路１４Ｃは、重なり量検知部１１Ｃの検知出力及び鍵盤部１０から出力される操作信号を取り込み、操作された鍵１００が鍵１であること及び重なり量Ｓ＝１を特定する。
【０１０２】
制御回路１４Ｃは、操作された鍵１及び操作子部２０の重なり量Ｓ＝１から、記憶部１２Ｃに記憶されているテーブルを参照し、「Ｃ調」の音名「Ｃ」の楽音を上記テーブルより読出し、「Ｃ調」の音名「Ｃ」の楽音に相当する楽音信号を出力するように楽音生成部１３を制御する。
【０１０３】
楽音生成部１３では、制御回路１４Ｃの制御下に「Ｃ調」の音名「Ｃ」の楽音に相当する楽音信号を、増幅器１５を介してスピーカ１６に出力する。
【０１０４】
スピーカ１６では、増幅器１５の出力を受けて「Ｃ調」の音名「Ｃ」の楽音を発音する。
【０１０５】
また、ユーザが、電子楽器１Ｃの鍵盤部１０に対し操作子部２０を、軸５０を中心に例えば、重なり量Ｓ＝３、すなわち、磁石３５１が３個が、３個の磁気センサ３５０により検知された状態となるまで操作子部２０を回動させ、記憶部１２Ｃに記憶されているテーブルにおける鍵１に相当する鍵１００を操作すると、制御回路１４Ｃは、重なり量検知部１１Ｃの検知出力及び鍵盤部１０から出力される操作信号を取り込み、操作された鍵が鍵１であること及び重なり量Ｓ＝３を特定する。
【０１０６】
制御回路１４Ｃは、操作された鍵１及び操作子部２０の重なり量Ｓ＝２から、記憶部１２Ｃに記憶されているテーブルを参照し、「Ｆ調」の音名「Ｆ」の楽音を上記テーブルより読出し、「Ｆ調」の音名「Ｆ」の楽音に相当する楽音信号を出力するように楽音生成部１３を制御する。
【０１０７】
楽音生成部１３では、制御回路１４Ｃの制御下に「Ｆ調」の音名「Ｆ」の楽音に相当する楽音信号を、増幅器１５を介してスピーカ１６に出力する。
【０１０８】
スピーカ１６では、増幅器１５の出力を受けて「Ｆ調」の音名「Ｆ」の楽音を発音する。
【０１０９】
このように、同じ鍵を操作しても割り当てられた異なる楽音が発音されることとなる。
【０１１０】
勿論、上記テーブルに同じ音を異なる角度θに割り当てることにより鍵盤部１０と操作子部２０との重なり量が異なっていても同じ楽音を発音させるようにすることもできる。
【０１１１】
本発明の第３実施形態に係る電子楽器によれば、鍵盤部に対する他の機能部の重なり量に応じて各鍵に楽音が割り当てられ、スライド量検知手段により検知された鍵盤部に対する他の機能部の重なり量に応じて楽音が出力されるので、少ない鍵数で多彩な楽音を出力することが可能となる。
【０１１２】
[第４実施形態]
本発明の第４実施形態に係る電子楽器について図１５〜図２０を参照して説明する。図１５には、本発明の第４実施形態に係る電子楽器の外観構成が示されており、図１６には、鍵盤部１０側と他の機能部としての操作子部２０側とを分解した外観構成が示されている。また、図１７は、本実施形態に係る電子楽器の平面図（図１７（Ａ））、横断面図（図１７（Ｂ））及び縦断面図（図１７（Ｃ））である。
【０１１３】
図１５〜図１７において、本実施形態に係る電子楽器１Ｄは、複数の鍵１００を有し、操作された鍵を示す操作信号を出力する鍵盤部１０と、図示してない、各種操作子が設けられた操作子部２０とを有し、鍵盤部１０に対して他の機能部としての操作子部２０が直交する二方向であるＸ,Ｙ方向にスライド可能に構成されている。
【０１１４】
すなわち、鍵盤部１０の一側面には操作子部２０を直交するＸ，Ｙに方向のうちＸ方向にスライドさせるレール４００が固設されている。このレール４００は、鍵盤部１０における鍵１００が設けられた表面上方に突設されたレール溝４０１を有している。
【０１１５】
一方、操作子部２０の一側面には、操作子部２０を上記Ｙ方向にスライドさせるレール５００がスライド可能に取り付けられている。すなわち、レール５００の長手方向の下部にはレール溝５０１が設けられており、このレール溝５０１には操作子部２０に設けられた断面Ｔ字状に形成された係合突片が係合し、操作子部２０がレール溝５０１に沿って移動できるように取り付けられている。
【０１１６】
また、レール溝５０１の端部には、断面Ｔ字状に形成された係合突片５０２が設けられており、操作子部２０の側面に形成された上記係合突片をレール５００のレール溝５０１に係合させた状態で、レール５００の係合突片５０２を鍵盤部１０に固設されたレール４００のレール溝４０１に係合させる。
【０１１７】
これにより、鍵盤部１０に対して他の機能部としての操作子部２０が直交する二方向であるＸ,Ｙ方向に移動することができる。
【０１１８】
また、鍵盤部１０に固設されたレール４００と操作子部２０との間には、鍵盤部１０に対する操作子部２０のＸ方向の移動量を検知する第１の移動量検知手段が設けられており、レール５００とレール溝５０１に係合突片が係合している操作子部２０との間には、鍵盤部１０に対する操作子部２０のＹ方向の移動量を検知する第２の移動量検知手段がそれぞれ、設けられている。具体的には、後述する。
【０１１９】
また、操作子部２０には、鍵盤部１０の鍵１００を操作して指定した楽音の音高、音色等の各パラメータを調整する操作子（図示せず）が設けられており、鍵盤部１０または、操作子部２０には楽音を発音するスピーカが設けられている。
【０１２０】
さらに、操作子部２０または鍵盤部１０には、鍵盤部１０の鍵１００、または操作子部２０の操作子を操作することにより、指定された楽音を生成し、出力するために必要な電子回路が内蔵されている。
【０１２１】
本発明の第４実施形態に係る電子楽器１Ｄの電気的構成を図１８に示す。同図において、第４実施形態に係る電子楽器１Ｄは、複数の鍵１００を有する鍵盤部１０と、鍵盤部１０に対する操作子部２０のＸ方向の移動量を検知する第１の移動量検知手段５０と、鍵盤部１０に対する操作子部２０のＹ方向の移動量を検知する第２の移動量検知手段５１と、鍵盤部１０における各鍵１００と、鍵盤部１０に対する操作子部２０のＸ、Ｙ方向に、楽音についての異なるパラメータを割り当て、操作子部２０のＸ、Ｙ方向の各移動量に応じて、それぞれ、各鍵に割り当てられている楽音のパラメータの内容との対応関係を示すテーブルが予め記憶されている記憶部１２Ｄと、楽音信号を生成し、出力する楽音生成部１３と、前記鍵盤部から出力される操作信号及び前記第１、第２の移動量検知手段５０、５１の検知出力を取り込み、操作された鍵１００及び第１、第２の移動量検知手段５０、５１により検知されたＸ,Ｙ方向の移動量に対応する楽音のパラメータの内容を、前記テーブルを参照して求め、該求めた前記楽音のパラメータの内容により規定される楽音に相当する楽音信号を出力するように楽音生成部１３を制御する制御回路１４Ｄと、増幅器１５と、スピーカ１６とを有している。
【０１２２】
鍵盤部１０に対する操作子部２０のＸ方向の移動量を検知する第１の移動量検知手段５０は、レール４００のレール溝４０１の長手方向に所定の基準位置から例えば、１０ｍｍ間隔で複数の磁気センサが配設されており、かつレール溝４０１に沿って移動する操作子部２０のレール溝４０１に対面する側面に配設された磁石とを有しており、この各磁気センサのうち、どの磁気センサが前記磁石による磁気を検知するかによりＸ方向の位置を検知するようになっている。
【０１２３】
また、鍵盤部１０に対する操作子部２０のＹ方向の移動量を検知する第２の移動量検知手段５１は、レール５００の係合突片５０２が設けられた端部側の所定の基準位置からレール５００のレール溝５０１に沿って例えば、１０ｍｍ間隔で複数の磁気センサが配設されており、かつレール溝５０１に沿って移動する操作子部２０におけるレール溝５０１に対面する側面に配設された磁石とを有しており、上記複数の磁気センサのうち、どの磁気センサが前記磁石による磁気を検知するかによりＹ方向の位置を検知するようになっている。
【０１２４】
この磁気センサとして、例えば、本実施形態ではホール素子が使用される。なお、磁気センサは磁気を検知できるものであればよく、ホール素子に限定されない。
【０１２５】
また、第１、第２の移動量検知手段５０、５１は、磁石と磁気センサとの組み合わせによる構成に限らず、鍵盤部１０に対する操作子部２０のＸ、Ｙ方向の移動量を検知できる構成であれば良く、上記構成に限定されない。例えば、発光素子と、受光素子との組み合わせにより第１、第２の移動量検知手段５０、５１を構成してもよい。
【０１２６】
また、記憶部１２Ｄには、鍵盤部１０における各鍵１００と、鍵盤部１０に対する操作子部２０のＸ、Ｙ方向に、楽音についての異なるパラメータを割り当て、操作子部２０のＸ、Ｙ方向の各移動量に応じて、それぞれ、各鍵に割り当てられている楽音のパラメータの内容との対応関係を示すテーブルが記憶されており、そのテーブルの一例を図１９、図２０に示す。
【０１２７】
この例では、操作子部２０のＸ方向の移動量に楽音のパラメータとして「オクターブ」が、操作子部２０のＹ方向の移動量に楽音のパラメータとして「音名」を割り当てられている。具体的には、図１９に示すように、Ｘ＝０〜１０ｍｍ，Ｘ＝１０〜２０ｍｍ，Ｘ＝２０〜３０ｍｍ，Ｘ＝３０〜４０ｍｍの各移動量に対してオクターブ２、３、４、５が割り当てられている。
【０１２８】
また、操作子部２０のＹ方向の移動量については、Ｙ＝０〜１０ｍｍ，Ｙ＝１０〜２０ｍｍ，Ｙ＝２０〜３０ｍｍ，Ｙ＝３０〜４０ｍｍの各移動量に対して各鍵１００（鍵１、２、３、…）に「音名」が割り当てられている。
【０１２９】
上記構成において、ユーザが電子楽器１Ｄの操作子部２０をレール４００に沿ってＸ方向の基準位置よりＸ方向にＸ＝０〜１０ｍｍの範囲内でスライドさせ、かつ操作子部２０をＹ方向の基準位置よりレール５００に沿ってＹ＝２０〜３０ｍｍの範囲内でスライドさせた後、鍵盤部１０記憶部１２Ｄに記憶されているテーブル（図２０参照）における鍵１に相当する鍵盤部１０における鍵１００を操作すると、第１、第２の移動量検知手段５０、５１により、鍵盤部１０に対する操作子部２０のＸ、Ｙ方向の移動量Ｘ、Ｙが検知される。
【０１３０】
制御回路１４Ｄは、第１、第２の移動量検知手段５０、５１の検知出力及び鍵盤部１０から出力される操作信号を取り込み、操作された鍵１００及び鍵盤部１０に対する操作子部２０のＸ、Ｙ方向の移動量Ｘ、Ｙを特定する。
【０１３１】
制御回路１４Ｄは、操作された鍵１００及び鍵盤部１０に対する操作子部２０のＸ、Ｙ方向の移動量Ｘ、Ｙから、記憶部１２Ｄに記憶されている図１９、図２０に示すテーブルを参照し、移動量Ｘ（＝０〜１０ｍｍ）から楽音のパラメータとしてオクターブ「２」を、また移動量Ｙ（＝２０〜３０）から楽音のパラメータとして音名「Ｃ＃」を、それぞれ上記テーブルより読出し、オクターブ「２」でかつ音名「Ｃ＃」の楽音に相当する楽音信号を出力するように楽音生成部１３を制御する。
【０１３２】
楽音生成部１３では、制御回路１４Ｄの制御下にオクターブ「２」でかつ音名「Ｃ＃」の楽音に相当する楽音信号を、増幅器１５を介してスピーカ１６に出力する。
【０１３３】
スピーカ１６では、増幅器１５の出力を受けてオクターブ「２」でかつ音名「Ｃ＃」の楽音を発音する。
【０１３４】
なお、本実施形態では、第１、第２の移動量検知手段５０、５１を磁石と磁気センサの組み合わせで構成し、鍵盤部１０に固設されたレール４００と操作子部２０との間に、鍵盤部１０に対する操作子部２０のＸ方向の移動量を検知する第１の移動量検知手段を、レール５００とレール溝５０１に係合突片が係合している操作子部２０との間に、鍵盤部１０に対する操作子部２０のＹ方向の移動量を検知する第２の移動量検知手段をそれぞれ、設けるようにしたが、これに限定されない。
【０１３５】
例えば、図２１に示すように、レール４００が側面に固定された鍵盤部１０における操作子部２０と重なり合う側の隅部に１個の磁石４５１を配設し、かつ操作子部２０が操作子部２０側の対向する隅部のＸ方向の基準位置からＸ方向に磁気センサ４５０を所定距離（例えば、１０ｍｍ）毎に順次、Ｙ方向（Ｘ方向と直交する方向）に向けて順次個数が増加するように配設する。磁気センサ４５０のＹ方向の設置間隔は例えば、１０ｍｍである。この磁石と磁気センサの配列を除けば、他の構成は既述した構成と同一である。
【０１３６】
本発明の第４の実施形態に係る電子楽器によれば、鍵盤部における各鍵と、前記鍵盤部に対する前記他の機能部のＸ、Ｙ方向に、楽音についての異なるパラメータが割り当てられ、第１、第２の移動量検知手段により検知されたＸ,Ｙ方向の移動量に対応する楽音のパラメータにより規定される楽音が出力されるので、少ない鍵数で多彩な楽音を出力することが可能となる。
【図面の簡単な説明】
【０１３７】
【図１】本発明に係る電子楽器の構成を示すブロック図。
【図２】本発明の第１実施形態に係る電子楽器の外観構成を示す斜視図。
【図３】図２に示した本発明の第１実施形態に係る電子楽器の分解斜視図。
【図４】図２に示した本発明の第１実施形態に係る電子楽器の縦断面図。
【図５】本発明の第１実施形態に係る電子楽器の電気的構成を示すブロック図。
【図６】図５に示した本発明の第１実施形態に係る電子楽器における記憶部に記憶されているテーブルの内容の一例を示す図。
【図７】本発明の第２実施形態に係る電子楽器の外観構成を示す斜視図。
【図８】図７に示した本発明の第２実施形態に係る電子楽器におけるＡ部の拡大図。
【図９】本発明の第２実施形態に係る電子楽器の電気的構成を示すブロック図。
【図１０】図９に示した本発明の第２実施形態に係る電子楽器における記憶部に記憶されているテーブルの内容の一例を示す図。
【図１１】本発明の第３実施形態に係る電子楽器の外観構成を示す斜視図。
【図１２】図１１に示した本発明の第３実施形態に係る電子楽器の外観構成を示す分解斜視図、及び鍵盤部における磁気センサと操作子部における磁石との配列関係を示す図。
【図１３】本発明の第３実施形態に係る電子楽器の電気的構成を示すブロック図。
【図１４】図１３に示した本発明の第３実施形態に係る電子楽器における記憶部に記憶されているテーブルの内容の一例を示す図
【図１５】本発明の第４実施形態に係る電子楽器の外観構成を示す斜視図。
【図１６】図１５に示した本発明の第４実施形態に係る電子楽器の分解斜視図。
【図１７】本実施形態に係る電子楽器の平面図（図１７（Ａ））、横断面図（図１７（Ｂ））及び縦断面図（図１７（Ｃ））。
【図１８】本発明の第４実施形態に係る電子楽器の電気的構成を示すブロック図。
【図１９】図１８に示した本発明の第４実施形態に係る電子楽器における記憶部に記憶されているテーブルの内容の一例を示す図。
【図２０】図１８に示した本発明の第４実施形態に係る電子楽器における記憶部に記憶されているテーブルの内容の他の例を示す図。
【図２１】本発明の第４実施形態に係る電子楽器の変形例を示す説明図。
【符号の説明】
【０１３８】
１、１Ａ，１Ｂ，１Ｃ，１Ｄ…電子楽器、１０…鍵盤部、１１…位置検知手段、１２…記憶部、１３…楽音生成部、１４…制御回路、１５…増幅器、１６…スピーカ、２０…操作子部、
【図１】
2009063782.tif 000003
【図２】
2009063782.tif 000004
【図３】
2009063782.tif 000005
【図４】
2009063782.tif 000006
【図５】
2009063782.tif 000007
【図６】
2009063782.tif 000008
【図７】
2009063782.tif 000009
【図８】
2009063782.tif 000010
【図９】
2009063782.tif 000011
【図１０】
2009063782.tif 000012
【図１１】
2009063782.tif 000013
【図１２】
2009063782.tif 000014
【図１３】
2009063782.tif 000015
【図１４】
2009063782.tif 000016
【図１５】
2009063782.tif 000017
【図１６】
2009063782.tif 000018
【図１７】
2009063782.tif 000019
【図１８】
2009063782.tif 000020
【図１９】
2009063782.tif 000021
【図２０】
2009063782.tif 000022
【図２１】
2009063782.tif 000023